(57)【要約】基地局（２０）および移動局（１０）は、ＨＳ−ＳＣＣＨのチャネライゼーションコードセットにおいてチャネライゼーションコードが定義されていない空き領域ごとにそれぞれ対応付けられたＣＱＩの送信周期を予め登録する。基地局（２０）は、ＣＱＩの送信周期を設定する場合、設定する送信周期に対応付けられた空き領域の識別情報を、ＨＳ−ＳＣＣＨにより移動局（１０）に対して送信する。移動局（１０）は、ＨＳ−ＳＣＣＨにより空き領域の識別情報を受信すると、その空き領域に対応付けられた送信周期で、基地局（２０）に対してＣＱＩを送信する。
2008026762.tif 000002
【特許請求の範囲】
【請求項１】
基地局（２０）と、前記基地局により設定される送信周期で、前記基地局に対してＣＱＩ（Ｃｈａｎｎｅｌ  Ｑｕａｌｉｔｙ  Ｉｎｄｉｃａｔｏｒ）を送信する移動局（１０）とを有してなるＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）通信システムにおいて、
前記基地局（２０）は、
ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）のチャネライゼーションコードセットにおいてチャネライゼーションコードが定義されていない空き領域ごとにそれぞれ対応付けられた前記ＣＱＩの送信周期を予め登録する基地局ＣＱＩ送信周期登録手段（２０２）と、
前記ＣＱＩの送信周期を設定する場合、前記基地局ＣＱＩ送信周期登録手段を参照して、設定する送信周期に対応付けられた空き領域の識別情報を、前記ＨＳ−ＳＣＣＨにより前記移動局（１０）に対して送信する識別情報送信手段（２０４）とを有し、
前記移動局（１０）は、
前記ＨＳ−ＳＣＣＨのチャネライゼーションコードセットにおいてチャネライゼーションコードが定義されていない空き領域ごとにそれぞれ対応付けられた前記ＣＱＩの送信周期を予め登録する移動局ＣＱＩ送信周期登録手段（１０２）と、
前記ＨＳ−ＳＣＣＨにより前記基地局（２０）から空き領域の識別情報を受信する識別情報受信手段（１０４；１２）と、
前記移動局ＣＱＩ送信周期登録手段を参照して、該空き領域に対応付けられた送信周期で、前記基地局（２０）に対して前記ＣＱＩを送信するＣＱＩ送信手段（１０６；１６）とを有する、
Ｗ−ＣＤＭＡ通信システム。
【請求項２】
前記基地局（２０）の前記識別情報送信手段（２０４）は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によるパケットデータの送信を停止する場合、その直前に、ＣＱＩの送信周期“０”に対応付けられた空き領域の識別情報を、前記ＨＳ−ＳＣＣＨにより前記移動局（１０）に対して送信する、請求項１に記載のＷ−ＣＤＭＡ通信システム。
【請求項３】
前記移動局（１０）は、
前記移動局の使用状況を基に、前記基地局（２０）からＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によりパケットデータをダウンロードする際のダウンロード速度を決定するダウンロード速度決定処理手段（１３）と、
前記基地局（２０）から前記ＨＳ−ＳＣＣＨにより受信した空き領域の識別情報を基に、該空き領域に対応付けられたＣＱＩの送信周期を前記基地局により設定されたＣＱＩの送信周期と判断するとともに、前記ダウンロード速度決定処理手段にて決定されたダウンロード速度を基に、前記基地局により設定されたＣＱＩの送信周期を調整する受信制御手段（１１）とを備え、
前記ＣＱＩ送信手段（１６）は、前記受信制御手段により調整されたＣＱＩの送信周期で、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）に前記ＣＱＩをマッピングして前記基地局（２０）に対して送信する、請求項１または２に記載のＷ−ＣＤＭＡ通信システム。
【請求項４】
Ｗ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）通信システムに使用される基地局（２０）であって、当該基地局により設定される送信周期で、移動局（１０）からＣＱＩ（Ｃｈａｎｎｅｌ  Ｑｕａｌｉｔｙ  Ｉｎｄｉｃａｔｏｒ）を受信する前記基地局（２０）において、
ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）のチャネライゼーションコードセットにおいてチャネライゼーションコードが定義されていない空き領域ごとにそれぞれ対応付けられた前記ＣＱＩの送信周期を予め登録するＣＱＩ送信周期登録手段（２０２）と、
前記ＣＱＩの送信周期を設定する場合、前記ＣＱＩ送信周期登録手段を参照して、設定する送信周期に対応付けられた空き領域の識別情報を、前記ＨＳ−ＳＣＣＨにより前記移動局（１０）に対して送信する識別情報送信手段（２０４）と、を有する基地局。
【請求項５】
前記識別情報送信手段（２０４）は、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によるパケットデータの送信を停止する場合、その直前に、ＣＱＩの送信周期“０”に対応付けられた空き領域の識別情報を、前記ＨＳ−ＳＣＣＨにより前記移動局（１０）に対して送信する、請求項４に記載の基地局。
【請求項６】
基地局（２０）を含むＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）通信システムに使用される移動局（１０）であって、前記基地局により設定される送信周期で、前記基地局に対してＣＱＩ（Ｃｈａｎｎｅｌ  Ｑｕａｌｉｔｙ  Ｉｎｄｉｃａｔｏｒ）を送信する前記移動局（１０）において、
ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）のチャネライゼーションコードセットにおいてチャネライゼーションコードが定義されていない空き領域ごとにそれぞれ対応付けられた前記ＣＱＩの送信周期を予め登録するＣＱＩ送信周期登録手段（１０２）と、
前記ＨＳ−ＳＣＣＨにより前記基地局（２０）から空き領域の識別情報を受信する識別情報受信手段（１０４；１２）と、
前記ＣＱＩ送信周期登録手段を参照して、該空き領域に対応付けられた送信周期で、前記基地局（２０）に対して前記ＣＱＩを送信するＣＱＩ送信手段（１０６；１６）と、
を有する移動局。
【請求項７】
前記移動局の使用状況を基に、前記基地局からＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によりパケットデータをダウンロードする際のダウンロード速度を決定するダウンロード速度決定処理手段（１３）と、
前記基地局から前記ＨＳ−ＳＣＣＨにより受信した空き領域の識別情報を基に、該空き領域に対応付けられたＣＱＩの送信周期を前記基地局により設定されたＣＱＩの送信周期と判断するとともに、前記ダウンロード速度決定処理手段にて決定されたダウンロード速度を基に、前記基地局により設定されたＣＱＩの送信周期を調整する受信制御手段（１１）とを更に備え、
前記ＣＱＩ送信手段（１６）は、前記受信制御手段により調整されたＣＱＩの送信周期で、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）に前記ＣＱＩをマッピングして前記基地局（２０）に対して送信する、請求項６に記載の移動局。
【請求項８】
前記ダウンロード速度決定処理手段（１３）は、
前記移動局の使用状況を基に、前記基地局（２０）から前記ＨＳ−ＰＤＳＣＨにより前記パケットデータをダウンロードする際の推奨ダウンロード速度レベルを決定する推奨ダウンロード速度レベル決定手段（１３２）と、
前記決定した推奨ダウンロード速度レベルの情報（ｂ）を前記受信制御手段（１１）に対して出力する速度レベル情報出力手段（１３４）と、
を有する、請求項７に記載の移動局。
【請求項９】
前記識別情報受信手段は、前記ＨＳ−ＳＣＣＨにより受信した制御情報をデコードし、そのデコード結果（ａ）を前記受信制御部（１１）に対して出力するＨＳ−ＳＣＣＨデコード処理手段（１２）から構成される、請求項８に記載の移動局。
【請求項１０】
前記受信制御手段（１１）は、
前記ＨＳ−ＳＣＣＨデコード処理手段（１２）からの制御情報のデコード結果（ａ）を基に、前記基地局（２０）により設定されたＣＱＩの送信周期を判断するＣＱＩ送信周期判断手段（１１２）と、
前記ダウンロード速度決定処理手段（１３）からの推奨ダウンロード速度レベルの情報（ｂ）を基に、前記基地局（２０）により設定されたＣＱＩの送信周期を調整するＣＱＩ送信周期調整手段（１１４）と、
該調整したＣＱＩの送信周期の情報（ｃ）を前記ＣＱＩ送信手段（１６）に対して出力するＣＱＩ送信周期出力手段（１１６）と、
を有する請求項９に記載の移動局。
【請求項１１】
前記ＣＱＩ送信手段（１６）は、
前記受信制御手段（１１）からの前記ＣＱＩの送信周期の情報（ｃ）を基に、前記ＨＳ−ＰＤＣＣＨにマッピングする前記ＣＱＩを有効にするかしないかをサブフレームごとに判定し、判定したＣＱＩ有効性の情報（ｄ）を出力するＣＱＩ送信判定処理手段（１４）と、
前記ＣＱＩ有効性の情報（ｄ）が有効を示すか否かをサブフレームごとに判定し、有効を示す場合に前記ＨＳ−ＤＰＣＣＨに前記ＣＱＩをマッピングするＨＳ−ＤＰＣＣＨ生成処理手段（１５）と、
から構成される請求項１０に記載の移動局。
【請求項１２】
基地局（２０）と、前記基地局により設定される送信周期で、前記基地局に対してＣＱＩ（Ｃｈａｎｎｅｌ  Ｑｕａｌｉｔｙ  Ｉｎｄｉｃａｔｏｒ）を送信する移動局（１０）とを有してなるＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）通信システムにおける、ＣＱＩ送信周期制御方法であって、
前記基地局（２０）および前記移動局（１０）が、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）のチャネライゼーションコードセットにおいてチャネライゼーションコードが定義されていない空き領域ごとにそれぞれ対応付けられたＣＱＩの送信周期を予め登録する登録ステップ（２０２，１０２）と、
前記基地局（２０）が、ＣＱＩの送信周期を設定する場合、設定する送信周期に対応付けられた空き領域の識別情報を、前記ＨＳ−ＳＣＣＨにより前記移動局（１０）に対して送信するＣＱＩ送信周期設定ステップ（２０４）と、
前記移動局（１０）が、前記ＨＳ−ＳＣＣＨにより空き領域の識別情報を前記基地局（２０）から受信する（１０４）と、該空き領域に対応付けられた送信周期で、前記基地局に対して前記ＣＱＩを送信するＣＱＩ送信ステップ（１０６）とを有する、ＣＱＩ送信周期制御方法。
【請求項１３】
前記ＣＱＩ送信周期設定ステップ（２０４）では、ＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によるパケットデータの送信を停止する場合、その直前に、ＣＱＩの送信周期“０”に対応付けられた空き領域の識別情報を、前記ＨＳ−ＳＣＣＨにより前記移動局（１０）に対して送信する、請求項１２に記載のＣＱＩ送信周期制御方法。
【請求項１４】
前記移動局（１０）が、
前記移動局の使用状況を基に、前記基地局からＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）によりパケットデータをダウンロードする際のダウンロード速度を決定するステップ（１３）と、
前記基地局から前記ＨＳ−ＳＣＣＨにより受信した空き領域の識別情報を基に、該空き領域に対応付けられたＣＱＩの送信周期を前記基地局により設定されたＣＱＩの送信周期と判断するとともに、前記決定されたダウンロード速度を基に、前記基地局により設定されたＣＱＩの送信周期を調整するステップ（１１）と、
前記調整されたＣＱＩの送信周期で、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）に前記ＣＱＩをマッピングして前記基地局に対して送信するステップ（１６）と、
をさらに有する、請求項１２または１３に記載のＣＱＩ送信周期制御方法。
【発明の詳細な説明】
【技術分野】
【０００１】
本発明は、移動局から基地局に対して定期的に送信するＣＱＩ（Ｃｈａｎｎｅｌ  Ｑｕａｌｉｔｙ  Ｉｎｄｉｃａｔｏｒ）の送信周期を制御するＷ−ＣＤＭＡ（Ｗｉｄｅ  ｂａｎｄ  Ｃｏｄｅ  Ｄｉｖｉｓｉｏｎ  Ｍｕｌｔｉｐｌｅ  Ａｃｃｅｓｓ）通信システム、ＣＱＩ送信周期制御方法に関する。
【背景技術】
【０００２】
現在標準化が進められている３ＧＰＰ（３ｒｄ  Ｇｅｎｅｒａｔｉｏｎ  Ｐａｒｔｎｅｒｓｈｉｐ  Ｐｒｏｊｅｃｔ）準拠のＷ−ＣＤＭＡ通信システムでは、高速なダウンリンクを実現する技術としてＨＳＤＰＡ（Ｈｉｇｈ  Ｓｐｅｅｄ  Ｄｏｗｎｌｉｎｋ  Ｐａｃｋｅｔ  Ａｃｃｅｓｓ）が提案されている。
図１に示されるように、Ｗ−ＣＤＭＡ通信システムは、移動局と基地局とを有する。ＨＳＤＰＡでは、基地局は、パケットデータをＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）により移動局へ送信する。また、パケットデータをＨＳ−ＰＤＳＣＨにより送信する前に、基地局は、そのパケットデータの復調および復号に用いる制御情報（パケット制御情報）を、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）により移動局へ送信する。この制御情報（パケット制御情報）には、チャネライゼーションコードに関する情報（１つの移動局に割り当てるチャネライゼーションコードの数を表すマルチコード数や、チャネライゼーションコードのオフセット値を表す符合オフセット）が含まれる。
ＨＳＤＰＡの特徴的な機能として、移動局が、刻一刻と変化する伝播路状況をＣＱＩという指標値で算出し、算出したＣＱＩをＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）にマッピングして定期的に基地局に対して送信するという機能がある。
これにより、基地局は、最新の伝播路状況を把握することができるようになるため、最短でサブフレームという２ミリ秒の時間単位で、ＨＳ−ＰＤＳＣＨの送信レートの最適化を図ることができるというメリットが得られる。また、ＨＳ−ＰＤＳＣＨの送信レートの最適化により、ＨＳ−ＰＤＳＣＨのチャネルリソースを効率良く使用することができるというメリットも得られる。
ＣＱＩに関する技術は、種々の特許文献に記載されている。例えば、国際公開第２００４／０７７８７１号パンフレット（以下、「特許文献１」と呼ぶ。）は、端末（移動局）から基地局へ送信される周期情報の衝突の減少を実現し、通信の干渉を出来る限り抑えられる基地局および端末（移動局）を開示している。特許文献１において、基地局は、端末（移動局）から基地局へ周期的に送信され現在の通信状態を表す品質情報（ＣＱＩ）を受信する受信部と、品質情報の受信タイミングに対し可変な時間オフセットを算出して付加する周期処理部とを備える。また、端末（移動局）は、品質情報（ＣＱＩ）を送信する送信部と、品質情報の送信タイミングに対して可変な時間オフセットを算出して付加する周期処理部とを備える。
特許文献１は、ＣＱＩの送信／受信タイミングをずらすことにより、移動局から基地局へ定期的に送信されるＣＱＩ（周期情報）の衝突の減少を実現する技術的思想を開示しているものである。したがって、特許文献１は、ＣＱＩそのものを送信停止したり送信開始したりする制御に関しては、何ら開示せず、示唆する記載はない。
また、特開２００４−１３４８９８号公報（対応米国特許公開第２００５／０１７４９８２号公報）（以下、「特許文献２」と呼ぶ。）は、上り回線において、各移動局のデータに応じた最適なスケジューリングを行える技術的思想を開示している。特許文献２において、移動局は、送信データを蓄積するバッファと、通信品質に応じたＣＱＩを生成するＣＱＩ生成部と、バッファに蓄積された送信データの量および送信データに関係した値の１つに応じてＣＱＩを送信する送信間隔を制御する送信制御部とを具備する。基地局は、受信データよりＣＱＩを抽出するＣＱＩ抽出部と、ＣＱＩの受信スロット数を観測する観測部と、ＣＱＩ抽出部にて抽出したＣＱＩ及び所定時間における受信スロット数に基づいてスケジューリングを行うスケジューラと、このスケジューラにおけるスケジューリングにて送信データを生成するデータ生成部とを具備する。
この特許文献２は、バッファに蓄積された送信データ量に応じて、ＣＱＩを送信する送信間隔を制御する技術的思想を開示している。しかしながら、特許文献２は、ＣＱＩの送信間隔を制御する際に、基地局が移動局に対して送信を行っているか否かについて何ら考慮していない。
特開２００４−１４７０５０号公報（対応米国特許公開第２００４／０１２７２２１号公報）（以下、「特許文献３」と呼ぶ。）は、パケット送信の遅延を効果的に低減可能な移動通信システムを開示している。特許文献３において、移動通信システムは、基地局と移動局とを備える。無線回線が基地局と移動局との間に設定されている。パケットが基地局から移動局へ無線回線を使用して送信される。基地局は、無線回線を移動局に設定する基地局送受信部と、移動局におけるパケット受信可能状態の更新を示す送受信状態更新情報を生成して、この送受信状態更新情報を基地局へ通知する基地局状態更新部と、サスペンド状態において無線回線における個別物理チャネル設定情報を継続保持する基地局記憶部とを有する。移動局は、無線回線を基地局に設定する移動局送受信部と、送受信状態更新情報に基づいて、パケットの受信が可能なアクティブ状態とパケットの受信が不可能なサスペンド状態の１つに設定する移動局状態更新部と、サスペンド状態において無線回線おける個別物理チャネル設定情報を継続保持する基地局記憶部とを有する。
特許文献３は、基地局から移動局へＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を用いて送受信状態更新情報を通知する技術的思想を開示しているに過ぎない。特許文献３は、ＣＱＩの送信周期を制御する技術については何ら開示せず、示唆する記載もない。
ＣＱＩの送信周期については、３ＧＰＰのＴＳ２５．３３１に規定されている。ＴＳ２５．３３１によれば、基地局は、ＨＳＤＰＡの通信を開始する前に、移動局に対して、ＣＱＩの送信周期として、０，２，４，８，１０，２０，４０，８０，１６０（単位はミリ秒）のいずれかを指定することになっている。
一般的には、基地局は、現時点での伝播路状況が安定していると判断した場合には送信周期を長くし、不安定と判断した場合には送信周期を短くする。また、この送信周期は、一旦移動局に設定されると再設定されるまで使用され、再設定をする場合は上位レイヤを使った設定処理を移動局に対して行う必要がある。
ところで、図１に示すように、基地局には、ＨＳ−ＰＤＳＣＨによるパケットデータの送信を行わない期間がある。図１において、網掛けで示したサブフレームが、基地局がＨＳ−ＳＣＣＨおよびＨＳ−ＰＤＳＣＨによる送信を移動局向けに行っていないことを示している。
しかし、上述のようにＣＱＩの送信周期は定期的であるため（図１では、２ミリ秒）、基地局がＨＳ−ＰＤＳＣＨの送信を行っていない期間でも、移動局がＣＱＩをマッピングしたＨＳ−ＤＰＣＣＨの送信を続けてしまう可能性がある。
ＣＱＩの送信は、ＨＳ−ＰＤＳＣＨによるパケットデータの受信時以外は不必要であるため、ＨＳ−ＰＤＳＣＨによるパケットデータの受信時以外のＨＳ−ＤＰＣＣＨにマッピングしたＣＱＩの送信は冗長な処理となる。この冗長な処理は、基地局からＨＳ−ＰＤＳＣＨによるパケットデータの送信が行われていない期間が長ければ長いほど顕著になる。
一方、特開２００３−１９９１７３号公報（対応米国特許第６，９９３，２９４）（以下、「特許文献４」と呼ぶ。）は、移動局の消費電力の削減、上り回線の干渉波電力の削減、上り回線の容量の増大を図る移動通信システムを開示している。特許文献４において、基地局は移動局と上り制御チャネルを設定してパイロット信号を送信する。移動局はこのパイロット信号の受信品質を測定して上り品質制御チャネル（ＨＳ−ＤＰＣＣＨ：Ｈｉｇｈ  Ｓｐｅｅｄ−Ｄｅｄｉｃａｔｅｄ  Ｐｈｙｓｉｃａｌ  Ｃｏｎｔｒｏｌ  Ｃｈａｎｎｅｌ）を用いて品質情報（ＣＱＩ）を基地局へ送信する。基地局はこの品質情報（ＣＱＩ）を用いて移動局に対するデータの送信制御を行う。移動局は、品質情報の送信開始及び停止制御をなすように設定され、必要な場合にだけ、品質情報が伝送される。
特許文献４は、必要な場合にだけ、品質情報（ＣＱＩ）を移動局から基地局へ送信制御する技術的思想を開示している。これを実現するため、移動局において、上り品質制御チャネル（ＨＳ−ＤＰＣＣＨ）設定中に、品質情報（ＣＱＩ）の送信開示及び停止制御をなすようにしている。詳述すると、特許文献４では、品質情報（ＣＱＩ）の送信を停止するために、基地局が個別チャネルＤＬ  ＤＰＣＨ（Ｄｅｄｉｃａｔｅｄ  Ｐｈｙｓｉｃａｌ  Ｃｈａｎｎｅｌ）を用いて移動局にデータ送信の終了通知を行ったり、移動局が最後のパケットデータを受信したか否かを判定したり、基地局が送信するＲｅｑｕｅｓｔ  Ｉｎｄｉｃｔｏｒのオフを所定回数受信したかを判定している。とにかく、特許文献４では、個別チャネルを使用したり、移動局で複雑な判定を行うことが必要となる。
【発明の開示】
【０００３】
そこで、本発明の例示的な目的は、移動局において、ＨＳ−ＰＤＳＣＨによるパケットデータの受信時以外に、ＨＳ−ＳＣＣＨを用いてＣＱＩの送信を止めることができるＷ−ＣＤＭＡ通信システム、ＣＱＩ送信周期制御方法を提供することにある。
上記目的を達成するために、本発明の例示的な態様によるＷ−ＣＤＭＡ通信システムは、
基地局と、前記基地局により設定される送信周期で、前記基地局に対してＣＱＩを送信する移動局とを有してなるＷ−ＣＤＭＡ通信システムにおいて、
前記基地局および前記移動局は、ＨＳ−ＳＣＣＨのチャネライゼーションコードセットにおいてチャネライゼーションコードが定義されていない空き領域ごとにそれぞれ対応付けられたＣＱＩの送信周期を予め登録するＣＱＩ送信周期登録手段を有し、
前記基地局は、ＣＱＩの送信周期を設定する場合、設定する送信周期に対応付けられた空き領域の識別情報を、ＨＳ−ＳＣＣＨにより前記移動局に対して送信する識別情報送信手段を有し、
前記移動局は、ＨＳ−ＳＣＣＨにより空き領域の識別情報を受信する識別情報受信手段と、該空き領域に対応付けられた送信周期で、前記基地局に対してＣＱＩを送信するＣＱＩ送信手段とを有することを特徴とする。
上記目的を達成するために、本発明の例示的な態様によるＣＱＩ送信周期制御方法は、
基地局と、前記基地局により設定される送信周期で、前記基地局に対してＣＱＩを送信する移動局とによるＣＱＩ送信周期制御方法であって、
前記基地局および前記移動局が、ＨＳ−ＳＣＣＨのチャネライゼーションコードセットにおいてチャネライゼーションコードが定義されていない空き領域ごとにそれぞれ対応付けられたＣＱＩの送信周期を予め登録する登録ステップと、
前記基地局が、ＣＱＩの送信周期を設定する場合、設定する送信周期に対応付けられた空き領域の識別情報を、ＨＳ−ＳＣＣＨにより前記移動局に対して送信するＣＱＩ送信周期設定ステップと、
前記移動局が、ＨＳ−ＳＣＣＨにより空き領域の識別情報を受信すると、該空き領域に対応付けられた送信周期で、前記基地局に対してＣＱＩを送信するＣＱＩ送信ステップと、
を有することを特徴とする。
【図面の簡単な説明】
【０００４】
図１は関連技術のＷ−ＣＤＭＡ通信システムにおける各チャネルの送信状況を示す図である。
図２は本発明の一実施例のＷ−ＣＤＭＡ通信システムの構成を示す図である。
図３はＨＳ−ＳＣＣＨのチャネライゼーションコードセットに空き領域が存在することを説明する図である。
図４はＨＳ−ＳＣＣＨのチャネライゼーションコードセットの空き領域にラベルを割り当てることを説明する図である。
図５は図２に図示したＷ−ＣＤＭＡ通信システムに使用される基地局と移動局の構成を示すブロック図である。
図６は図２に示したＷ−ＣＤＭＡ通信システムにおける各チャネルの送信状況を示す図である。
図７は図２に示した移動局の一構成例を示すブロック図である。
図８は図７に図示した移動局に使用されるＨＳ−ＳＣＣＨデコード処理部の一構成例を示すブロック図である。
図９は図７に図示した移動局に使用されるダウンロード速度決定処理部の一構成例を示すブロック図である。
図１０は図７に図示した移動局に使用されるＨＳＤＰＡ受信制御部の一構成例を示すブロック図である。
図１１は図７に図示した移動局に使用されるＣＱＩ送信処理部の一構成例を示すブロック図である。
図１２は図７に図示した移動局に使用されるＨＳ−ＤＰＣＣＨ生成処理部の一構成例を示すブロック図である。
図１３は図７に示した移動局の動作を説明するためのフローチャートである。
【発明を実施するための最良の形態】
【０００５】
以下、本発明を実施するための実施例について図面を参照して説明する。
図２に示すように、本発明の典型的な実施例によるＷ−ＣＤＭＡ通信システムは、移動局１０と、基地局２０とを有する。なお、図２では、移動局１０および基地局２０は、説明の便宜のためにそれぞれ１つだけ図示されているが、実際には複数設けられている。
移動局１０と基地局２０との間には無線回線が設定される。無線回線において、移動局１０から基地局２０への回線は上り回線（アップリンク）と呼ばれ、基地局２０から移動局１０への回線は下り回線（ダウンリンク）と呼ばれる。ＨＳＤＰＡ（Ｈｉｇｈ  Ｓｐｅｅｄ  Ｄｏｗｎｌｉｎｋ  Ｐａｃｋｅｔ  Ａｃｃｅｓｓ）では、上り回線（アップリンク）として、ＨＳ−ＤＰＣＣＨ（Ｈｉｇｈ  Ｓｐｅｅｄ  Ｄｅｄｉｃａｔｅｄ  Ｐｈｙｓｉｃａｌ  Ｃｏｎｔｒｏｌ  Ｃｈａｎｎｅｌ）を有し、下り回線（ダウンリンク）として、ＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）とＨＳ−ＰＤＳＣＨ（Ｈｉｇｈ  Ｓｐｅｅｄ  Ｐｈｙｓｉｃａｌ  Ｄｏｗｎｌｉｎｋ  Ｓｈａｒｅｄ  Ｃｈａｎｎｅｌ）とを有する。
ＨＳ−ＰＤＳＣＨは、パケットデータを基地局２０から移動局１０へ送信するためのものである。複数の基地局で時間的にシェア（時分割）することで、１本のＨＳ−ＰＤＳＣＨを共用して使うことができる。ＨＳ−ＳＣＣＨは、パケット制御情報（パケットデータの復調および復号に用いる制御情報）を基地局２０から移動局１０へ送信するためのものである。ＨＳ−ＤＰＣＣＨは、ＣＰＩＣＨ（Ｃｏｍｍｏｎ  Ｐｉｌｏｔ  Ｃｈａｎｎｅｌ）の品質測定結果から決定したＣＱＩ（Ｃｈａｎｎｅｌ  Ｑｕａｌｉｔｙ  Ｉｎｄｉｃａｔｏｒ）、受信したパケットの通達確認情報であるＡＣＫ（Ａｃｋｎｏｗｌｅｄｇｍｅｎｔ）／ＮＡＣＫ（Ｎｅｇａｔｉｖｅ  Ａｃｋｎｏｗｌｅｄｇｅｍｅｎｔ）を移動局１０から基地局２０へ送信する個別チャネルである。
移動局１０は、伝播路状況の指標となるＣＱＩを、基地局２０により設定される送信周期で、ＨＳ−ＤＰＣＣＨにマッピングして基地局２０に対して送信する。
基地局２０は、移動局１０から受信したＣＱＩに基づきＨＳ−ＰＤＳＣＨの送信レートを最適化した上で、ＨＳ−ＰＤＳＣＨによりパケットデータを移動局１０へ送信する。
また、基地局２０は、ＨＳ−ＰＤＳＣＨによりパケットデータを送信する前に、そのパケットデータの復調および復号に用いる制御情報（パケット制御情報）をＨＳ−ＳＣＣＨにより移動局２０へ送信する。この制御情報には、上述のように、チャネライゼーションコードに関する情報が含まれる。
なお、ＨＳ−ＳＣＣＨのサブフレームは、ＨＳ−ＰＤＳＣＨのサブフレームとペアになってその直前に設けられ、ペアとなるＨＳ−ＰＤＳＣＨのサブフレームで送信されるパケットデータの復調および復号に用いる制御情報（パケット制御情報）を送信することになる。
３ＧＰＰ（３ｒｄ  Ｇｅｎｅｒａｔｉｏｎ  Ｐａｒｔｎｅｒｓｈｉｐ  Ｐｒｏｊｅｃｔ）では、図３に示すように、ＨＳ−ＳＣＣＨのチャネライゼーションコードセット（Ｃｈａｎｎｅｌｉｓａｔｉｏｎ  Ｃｏｄｅ  ｓｅｔ）が定義されている。
基地局２０は、チャネライゼーションコードに関する情報として、そのチャネライゼーションコードが定義されている領域の識別情報（符号グループの３ビットと符号オフセットの４ビットとの計７ビットの情報）を、ＨＳ−ＳＣＣＨにより移動局１０に対して送信する。これにより、基地局２０から移動局１０に対して、チャネライゼーションコードのマルチコード数と、拡散因子（ＳＦ：Ｓｐｒｅａｄｉｎｇ  Ｆａｃｔｏｒ）が１６である場合のチャネライゼーションコードの符合オフセットとが通知される。
例えば、図３において、チャネライゼーションコードのマルチコード数が“５”で、符合オフセットが“５”であるとする。この場合、基地局２０は、そのチャネライゼーションコードが定義された領域の識別情報として、符号グループ“１００”、符号オフセット“０１００”の計７ビットの情報を、ＨＳ−ＳＣＣＨにより移動局１０に対して送信する。
移動局１０は、基地局２０から受信した識別情報に基づき、チャネライゼーションコードのマルチコード数が“５”で、符合オフセットが“５”であると判断する。そして、移動局１０は、そのチャネライゼーションコードを用いて、その後にＨＳ−ＰＤＳＣＨにより送信されてくるパケットデータの復号および復調を行う。
ところで、ＨＳ−ＳＣＣＨのチャネライゼーションコードセットには、図３に示すように、チャネライゼーションコードが定義されていない空き領域が存在する。
そこで、本実施例では、ＨＳ−ＳＣＣＨのチャネライゼーションコードセットの空き領域に着目し、この空き領域を利用して、基地局２０が移動局１０に対してＣＱＩの送信周期の設定を行うこととする。
具体的には、図４に示すように、ＨＳ−ＳＣＣＨのチャネライゼーションコードセットの空き領域の各々に予めラベル１〜８を割り当て、ラベル１〜８ごとにＣＱＩの送信周期を対応付けておく。ラベルとＣＱＩ送信周期との対応付けは、基地局２０および移動局１０の双方に予め登録しておく。基地局２０は、ＣＱＩの送信周期を設定する場合、設定する送信周期に対応付けられたラベルを割り当てた空き領域の識別情報を、ＨＳ−ＳＣＣＨにより移動局１０に対して送信する。
例えば、図４において、符号グループ“１１１”、符号オフセット“００００”の空き領域にはラベル“１”を割り当て、ＣＱＩの送信周期“０ミリ秒”を対応付けておく。また、符号グループ“１１１”、符号オフセット“０００１”の空き領域にはラベル“２”を割り当て、ＣＱＩの送信周期“２ミリ秒”を対応付けておく。
図５に、図２に示したＷ−ＣＤＭＡ通信システムに使用される、基地局２０と移動局１０の構成を示す。
基地局２０は、基地局ＣＱＩ送信周期登録部２０２と識別情報送信部２０４とを備える。基地局ＣＱＩ送信周期登録部２０２は、ＨＳ−ＳＣＣＨのチャネライゼーションコードセットにおいてチャネライゼーションコードが定義されていない空き領域ごとにそれぞれ対応付けられたＣＱＩの送信周期（ラベルとＣＱＩ送信周期との対応付け表）を予め登録する。識別情報送信部２０４は、ＣＱＩの送信周期を設定する場合、基地局ＣＱＩ送信周期登録部２０２を参照して、設定する送信周期に対応付けられた空き領域の識別情報を、ＨＳ−ＳＣＣＨにより移動局１０に対して送信する。
移動局１０は、移動局ＣＱＩ送信周期登録部１０２と識別情報受信部１０４とＣＱＩ送信部１０６とを備える。移動局ＣＱＩ送信周期登録部１０２は、ＨＳ−ＳＣＣＨのチャネライゼーションコードセットにおいてチャネライゼーションコードが定義されていない空き領域ごとにそれぞれ対応付けられたＣＱＩの送信周期（ラベルとＣＱＩ送信周期との対応付け表）を予め登録する。識別情報受信部１０４は、ＨＳ−ＳＣＣＨにより基地局２０からの空き領域の識別情報を受信する。ＣＱＩ送信部１０６は、移動局ＣＱＩ送信周期登録部１０２を参照して、この空き領域に対応付けられた送信周期で、基地局２０に対してＣＱＩを送信する。
この場合、図６に示すように、基地局２０の識別情報送信部２０４は、ＨＳ−ＳＣＣＨおよびＨＳ−ＰＤＳＣＨによる送信を停止する直前の斜線で示したＨＳ−ＳＣＣＨのサブフレームでは、ＣＱＩの送信周期を０ミリ秒に設定するために、ラベル“１”の空き領域を表す符号グループ“１１１”、符号オフセット“００００”の識別情報を送信する。移動局１０の識別情報受信部１０４は、この識別情報を受信する。移動局１０のＣＱＩ送信部１０６は、この識別情報から移動局ＣＱＩ送信周期登録部１０２を参照して、この空き領域に対応付けられた送信周期で、基地局２０に対してＣＱＩを送信する。この場合、ＣＱＩの送信周期が０ミリ秒であるので、ＣＱＩ送信部１０６はＣＱＩを送信しない。
また、基地局２０の識別情報送信部２０４は、ＨＳ−ＳＣＣＨおよびＨＳ−ＰＤＳＣＨによる送信が再開される直前の斜線で示したＨＳ−ＳＣＣＨのサブフレームでは、ＣＱＩの送信周期を２ミリ秒に設定するために、ラベル“２”の空き領域を表す符号グループ“１１１”、符号オフセット“０００１”の識別情報を送信する。移動局１０の識別情報受信部１０４は、この識別情報を受信する。移動局１０のＣＱＩ送信部１０６は、この識別情報から移動局ＣＱＩ送信周期登録部１０２を参照して、この空き領域に対応付けられた送信周期で、基地局２０に対してＣＱＩを送信する。この場合、ＣＱＩの送信周期が２ミリ秒であるので、ＣＱＩ送信部１０６は送信周期２ミリ秒でＣＱＩを送信する。
これにより、図６の網掛けで示したＨＳ−ＤＰＣＣＨのサブフレームでは、ＣＱＩがＨＳ−ＤＰＣＣＨにマッピングされないため、ＨＳ−ＤＰＣＣＨによる送信が停止されることになる。
上述したように本実施例では、移動局１０は、ＣＱＩの送信が必ずしも必要ではない、ＨＳ−ＰＤＳＣＨによるパケットデータの受信時以外の期間において、ＨＳ−ＤＰＣＣＨでの送信を停止するため、ＣＱＩを送信し続けてしまうという冗長処理を減らすことができる。
それにより、移動局１０によるＨＳ−ＤＰＣＣＨの送信電力を削減することができるとともに、ＨＳ−ＤＰＣＣＨによる送信を止めることで他の伝播路への干渉を削減することができる。
また、基地局２０から移動局１０に対して、ＨＳ−ＳＣＣＨによりＣＱＩの送信周期を設定するため、ＨＳ−ＳＣＣＨのチャネルリソースを有効利用することができる。
この構成によれば、基地局から移動局に対し、ＨＳ−ＳＣＣＨによりＣＱＩの送信周期を設定することが可能である。
よって、移動局に対し、ＣＱＩの送信が必ずしも必要ではない、ＨＳ−ＰＤＳＣＨによるパケットデータの受信時以外の期間において、ＨＳ−ＤＰＣＣＨでの送信を停止させることが可能となるため、移動局がＣＱＩを送信し続けてしまうという冗長処理を減らすことが可能となる。
それにより、移動局によるＨＳ−ＤＰＣＣＨの送信電力を削減することが可能となるとともに、ＨＳ−ＤＰＣＣＨによる送信を止めることで他の伝播路への干渉を削減することが可能となる。
また、ＨＳ−ＳＣＣＨによりＣＱＩの送信周期を設定するため、ＨＳ−ＳＣＣＨのチャネルリソースを有効利用することが可能となる。
さらに、本発明の実施例では、移動局１０は、移動局１０の状態に応じて、基地局２０により設定されたＣＱＩの送信周期を調整することも可能である。
以下、移動局１０の構成および動作について詳細に説明する。
図７に示すように、移動局１０は、ＨＳＤＰＡ受信制御部１１と、ＨＳ−ＳＣＣＨデコード処理部１２と、ダウンロード速度決定処理部１３と、ＣＱＩ送信判定処理部１４と、ＨＳ−ＤＰＣＣＨ生成処理部１５とを有する。
なお、図７では、ＨＳ−ＳＣＣＨによりＣＱＩの送信周期の通知を受けてから、ＣＱＩを送信するまでの処理を行う構成要素のみが示されており、ＨＳ−ＰＤＳＣＨにより受信するパケットデータの処理を行う構成要素は省略されている。
また、ＣＱＩ送信判定処理部１４およびＨＳ−ＤＰＣＣＨ生成処理部１５により、ＣＱＩ送信部１６が構成される。このＣＱＩ送信部１６は、図５のＣＱＩ送信部１０６に相当する。
図８を参照すると、ＨＳ−ＳＣＣＨデコード処理部１２は、デコード部１１２とデコード結果出力部１２４とから構成される。デコード部１２２は、ＨＳ−ＳＣＣＨにより受信した制御情報をデコードする。デコード結果出力部１２４は、そのデコード結果ａをＨＳＤＰＡ受信制御部１１に対して出力する。このＨＳ−ＳＣＣＨデコード処理部１２は、図５の識別情報受信部１０４に相当する。
図９を参照すると、ダウンロード速度決定処理部１３は、推奨ダウンロード速度レベル決定部１３２と速度レベル情報出力部１３４とから構成される。推奨ダウンロード速度レベル決定部１３２は、入力されるユーザの移動局利用状況情報を基に、基地局２０からＨＳ−ＰＤＳＣＨによりパケットデータをダウンロードする際の推奨ダウンロード速度レベルを決定する。速度レベル情報出力部１３４は、決定した推奨ダウンロード速度レベルの情報ｂをＨＳＤＰＡ受信制御部１１に対して出力する。
ＨＳＤＰＡ受信制御部１１は、外部からの制御信号に基づいて、ＨＳ−ＳＣＣＨデコード処理部１２、ダウンロード速度決定処理部１３、ＣＱＩ送信判定処理部１４、およびＨＳ−ＤＰＣＣＨ生成処理部１５を制御する。なお、ＨＳＤＰＡ受信制御部１１は、各処理部の動作に必要となるパラメータを提供することができ、また、各処理部の起動、停止、および初期化を制御できるものとする。
図１０を参照すると、ＨＳＤＰＡ受信制御部１１は、ＣＱＩ送信周期判断部１１２とＣＱＩ送信周期調整部１１４とＣＱＩ送信周期出力部１１６とから構成される。ＣＱＩ送信周期判断部１１２は、ＨＳ−ＳＣＣＨデコード処理部１２からの制御情報のデコード結果ａを基に、基地局２０により設定されたＣＱＩの送信周期を判断する。ＣＱＩ送信周期調整部１１４は、ダウンロード速度決定処理部１３からの推奨ダウンロード速度レベルの情報ｂを基に、基地局２０により設定されたＣＱＩの送信周期を調整する。ＣＱＩ送信周期出力部１１６は、調整したＣＱＩの送信周期の情報ｃをＣＱＩ送信判定処理部１４に対して出力する。
図１１を参照すると、ＣＱＩ送信判定処理部１４は、ＣＱＩ有効／無効判定部１４２とＣＱＩ有効性情報出力部１４４とから構成される。ＣＱＩ有効／無効判定部１４２は、ＨＳＤＰＡ受信制御部１１からのＣＱＩの送信周期の情報ｃを基に、ＨＳ−ＤＰＣＣＨにマッピングするＣＱＩを有効にするかしないかをサブフレームごとに判定する。ＣＱＩ有効性情報出力部１４４は、判定したＣＱＩ有効性の情報ｄをＨＳ−ＤＰＣＣＨ生成処理部１５に対して出力する。
図１２を参照すると、ＨＳ−ＤＰＣＣＨ生成処理部１５は、有効／無効判定部１５２とマッピング部１５４とから構成される。有効／無効判定部１５２は、ＣＱＩ送信判定処理部１４からのＣＱＩ有効性の情報ｄが有効を示すか否かをサブフレームごとに判定する。マッピング部１５４は、ＣＱＩ有効性の情報ｄが有効を示す場合に、ＨＳ−ＤＰＣＣＨにＣＱＩをマッピングする。
以下、図１３を参照して、図７に示した移動局１０の動作について説明する。
（ａ）初期化処理
ＨＳＤＰＡ受信制御部１１は、ＨＳＤＰＡの通信を開始するに際して、まず、ＨＳ−ＳＣＣＨデコード処理部１２、ダウンロード速度決定処理部１３、ＣＱＩ送信判定処理部１４、およびＨＳ−ＤＰＣＣＨ生成処理部１５を初期化する（ステップＳ１）。
（ｂ）パラメータ供給・起動処理
次に、ＨＳＤＰＡ受信制御部１１は、ＨＳ−ＳＣＣＨデコード処理部１２、ダウンロード速度決定処理部１３、ＣＱＩ送信判定処理部１４、およびＨＳ−ＤＰＣＣＨ生成処理部１５に対し、動作に必要となるパラメータを供給し、各処理部をそれぞれ適切なタイミングで起動させる（ステップＳ２）。
（ｃ）デコード処理
ＨＳ−ＳＣＣＨデコード処理部１２において、デコード部１２２は、ＨＳ−ＳＣＣＨにより受信した制御情報をデコードし、デコード結果出力部１２４は、そのデコード結果ａをＨＳＤＰＡ受信制御部１１に対して出力する。この処理は、サブフレーム単位で周期的に繰り返される。
（ｄ）ダウンロード速度決定処理
ダウンロード速度決定処理部１３において、推奨ダウンロード速度レベル決定部１３２は、ユーザの移動局使用状況情報を基に、基地局２０からＨＳ−ＰＤＳＣＨによりパケットデータをダウンロードする際の推奨ダウンロード速度レベルを決定し、速度レベル情報出力部１３４は、決定した推奨ダウンロード速度レベルの情報ｂをＨＳＤＰＡ受信制御部１１に対して出力する。この処理は、サブフレーム単位で周期的に繰り返される。
本実施例では、表１に示すように、ユーザの移動局使用状況情報を設定できるものとし、推奨ダウンロード速度レベルを移動局使用状況情報に応じて設定できるものとする。
なお、表１では、移動局１０が折りたたみ形状であることを想定している。また、例えば、移動局１０の使用状況によっては異なる推奨ダウンロード速度レベルが設定されている場合があるが（例えば、移動局１０が閉じた状態でＵＳＢと接続される場合）、このような場合にどちらを採用するかは初期設定次第で変化させられるものとする。
【表１】
2008026762.tif 000003
（ｅ）ＣＱＩ送信周期確認処理
ＨＳＤＰＡ受信制御部１１において、ＣＱＩ送信周期判断部１１２は、ＨＳ−ＳＣＣＨデコード処理部１２から制御情報のデコード結果ａが入力されると、その制御情報を基に、チャネライゼーションコードが空き領域のものであるか否かを判定する。
ここで、ＨＳＤＰＡ受信制御部１１のＣＱＩ送信周期判断部１１２は、チャネライゼーションコードが空き領域のものでない場合、制御情報のデコード結果をＨＳ−ＰＤＳＣＨデコード処理部（図示せず）に対して出力する。
一方、ＨＳＤＰＡ受信制御部１１のＣＱＩ送信周期判断部１１２は、チャネライゼーションコードが空き領域のものである場合、その空き領域が予め割り当てたラベル１〜８のいずれに該当するかを判定し、判定したラベルに対応付けられたＣＱＩの送信周期を確認する（ステップＳ５）。本実施例では、ラベル１〜８のそれぞれに、表２に示すようなＣＱＩの送信周期が対応付けられるものとする。
【表２】
2008026762.tif 000004
なお、上記表２は、図５に示した移動局ＣＱＩ送信周期登録部１０２に予め登録されており、ＣＱＩ送信周期判断部１１２は、この移動局ＣＱＩ送信周期登録部１０２を含む。
（ｆ）ＣＱＩ送信周期調整処理
ＨＳＤＰＡ受信制御部１１において、基地局２０により設定されたＣＱＩの送信周期を確認した後、ＣＱＩ送信周期調整部１１４は、ダウンロード速度決定処理部１３からの推奨ダウンロード速度レベルの情報ｂを基に、基地局２０により設定されたＣＱＩの送信周期を調整し、ＣＱＩ送信周期出力部１１６は、調整したＣＱＩの送信周期の情報ｃをＣＱＩ送信判定処理部１４に対して出力する（ステップＳ６）。
ここでは、ＨＳＤＰＡ受信制御部１１のＣＱＩ送信周期調整部１１４は、推奨ダウンロード速度レベルが高速を示していれば、ＣＱＩの送信周期を短くし、推奨ダウンロード速度レベルが中速を示していれば、ＣＱＩの送信周期をそのままとし、推奨ダウンロード速度レベルが低速を示していれば、ＣＱＩの送信周期を長くするものとする。ＣＱＩの送信周期をどれだけ長くするかもしくは短くするかは初期設定次第で変化させられるものとする。
（ｇ）ＣＱＩ有効／無効判定処理
ＣＱＩ送信判定処理部１４において、ＣＱＩ有効／無効判定部１４２は、起動直後は、ＨＳＤＰＡ受信制御部１１より初期値として設定されたＣＱＩの送信周期の情報ｃを基に、ＨＳ−ＤＰＣＣＨにマッピングするＣＱＩを有効にするかしないかをサブフレームごとに判定し、ＣＱＩ有効性情報出力部１４４は、判定したＣＱＩ有効性の情報ｄをＨＳ−ＤＰＣＣＨ生成処理部１５に対して出力する（ステップＳ７）。この処理は、サブフレーム単位で周期的に繰り返される。
また、ＣＱＩ送信判定処理部１４において、ＣＱＩ有効／無効判定部１４２は、ＨＳＤＰＡ受信制御部１１から新たなＣＱＩの送信周期の情報ｃが入力されると、新たなＣＱＩの送信周期の情報ｃを基に、ＨＳ−ＤＰＣＣＨにマッピングするＣＱＩを有効にするかしないかをサブフレームごとに判定し、ＣＱＩ有効性情報出力部１４４は、判定したＣＱＩ有効性の情報ｄをＨＳ−ＤＰＣＣＨ生成処理部１５に対して出力する（ステップＳ７）。この処理は、サブフレーム単位で周期的に繰り返される。
（ｈ）マッピング処理
ＨＳ−ＤＰＣＣＨ生成処理部１５において、有効／無効判定部１５２は、ＣＱＩ送信判定処理部１４からのＣＱＩ有効性の情報ｄが有効を示すか否かをサブフレームごとに判定し、マッピング部１５４は、ＣＱＩ有効性の情報ｄが有効を示す場合に、ＨＳ−ＤＰＣＣＨにＣＱＩをマッピングする（ステップＳ８）。この処理は、サブフレーム単位で周期的に繰り返される。
上述したように本実施例では、移動局１０は、ユーザの移動局使用状況に応じて推奨ダウンロード速度を決定し、その推奨ダウンロード速度に応じて、基地局２０に設定されたＣＱＩの送信周期を調整している。
このように、移動局１０が、ＨＳ−ＰＤＳＣＨ受信中のＣＱＩの送信周期を、推奨ダウンロード速度に応じて柔軟に変化させることができるため、ＨＳＤＰＡパケットの即時必要性から移動局１０主導でダウンロード速度を変化させることができる。
上述したように本発明によれば、次に述べるような一例としての効果がある。移動局がＨＳ−ＰＤＳＣＨによるパケットデータの受信時以外は不必要となるＣＱＩの送信を止めることができるため、移動局によるＨＳ−ＤＰＣＣＨの送信電力を削減することができるとともに、ＨＳ−ＤＰＣＣＨの送信を止めることで他の伝播路への干渉を削減することができるという効果が得られる。
以上、本発明について実施例によって説明してきたが、本発明は上述した実施例に限定しないのは勿論である。例えば、本実施例では、基地局２０から、ＣＱＩの報告周期が０ミリ秒と通知された場合、ＣＱＩの報告を完全に止めていたが、本発明は、ＣＱＩだけでなく、ＡＣＫ（Ａｃｋｎｏｗｌｅｄｇｍｅｎｔ）およびＮＡＣＫ（Ｎｅｇａｔｉｖｅ  Ａｃｋｎｏｗｌｅｄｇｍｅｎｔ）の報告も完全に止めることとしても良い。また、本実施例では、ユーザの移動局使用状況を判断する材料として、移動局１０の接続状況や開閉状況を用いたが、本発明は、ユーザの契約している料金体系や、移動局１０に充電器が接続されていない場合の電池残量等をさらに用いても良い。
この出願は、２００６年８月３１日に出願された、日本特許出願第２００６−２３５６８７号からの優先権を基礎とし、その利益を主張するものであり、その開示はここに全て参考文献として組み込まれる。
【図１】
2008026762.tif 000005
【図２】
2008026762.tif 000006
【図３】
2008026762.tif 000007
【図４】
2008026762.tif 000008
【図５】
2008026762.tif 000009
【図６】
2008026762.tif 000010
【図７】
2008026762.tif 000011
【図８】
2008026762.tif 000012
【図９】
2008026762.tif 000013
【図１０】
2008026762.tif 000014
【図１１】
2008026762.tif 000015
【図１２】
2008026762.tif 000016
【図１３】
2008026762.tif 000017
【国際調査報告】
2008026762.tif 000018
2008026762.tif 000019
2008026762.tif 000020
2008026762.tif 000021